(57)【特許請求の範囲】
【請求項１】
一方の大径の軸および他方の小径の軸からなる２つの軸を互いの内端部同士で螺合連結した軸筒であって、該軸筒の両外端部にそれぞれペン芯を配設し、かつそれら大径の軸、小径の軸の端部に互いに外径を大小異ならせた大径、小径キャップ嵌合部を形成した筆記具本体と、それら大径、小径キャップ嵌合部に着脱可能に嵌合する大径、小径キャップとを有している筆記具において、
小径の軸の内端部側の外周面にグリップ部材を装着し、
大径の軸および小径の軸の螺合連結する部分付近で前記大径の軸外周面と前記グリップ部材外周面とが互いに面一になるように形成し、
大径キャップ嵌合部に嵌装されている大径キャップが、大径の軸を持って該大径キャップを捻って外すときに、小径キャップ嵌合部に嵌装されている小径キャップを外すときの回転モーメントよりも大きな回転モーメントが生じるものであり、
前記小径キャップ嵌合部と前記大径キャップ嵌合部の両内壁面にインキ吸蔵体を固定するリブを備え、
上記２つの軸のうち、大径キャップ嵌合部を形成した軸を、小径キャップ嵌合部を形成した軸よりも長尺に形成したことを特徴とする筆記具。
【請求項２】
大径キャップ嵌合部を形成した軸は、大径キャップ嵌合部から、これに嵌合されている大径キャップを一方の手で外すとき、他方の手で軸筒を把持すると想定される把持部分を含む長さに設定されていることを特徴とする請求項１記載の筆記具。
【請求項３】
大径キャップが、キャップ本体内に円筒形の中キャップを形成してなるとともに、その中キャップの内径と大径キャップ嵌合部の外径とを互いに同じテーパにして、大径キャップ嵌合部の外径を、大径キャップ嵌合部を形成した軸の基端から先端に向けて径細となるように形成しており、
大径キャップ嵌合部に大径キャップを嵌合したときに、大径キャップ嵌合部の外周面に前記中キャップの内周縁がシール性を保持できる密着状態で当接するようになっていることを特徴とする請求項１又は２記載の筆記具。
【発明の詳細な説明】
【０００１】
【発明の属する技術分野】
本発明は、マーカーペンや筆ペン等の筆記具に関する。
【０００２】
【従来の技術】
従来、この種の筆記具として、例えば図４に示す構成のマーカーペンがある。図示のマーカーペン１は所謂両頭式のものであり、それは、大径軸２と小径軸３とを螺合連結してなる軸筒４の両外端部に、太書き用，細書き用ペン芯５，６をそれぞれ配設し、かつ、それら各外端部に互いに外径を大小異ならせた大径，小径キャップ嵌合部２ａ，３ａを形成した筆記具本体１Ａと、大径，小径キャップ嵌合部２ａ，３ａに装着する大径，小径キャップ７，８とを有してなるものである。
【０００３】
上記大径，小径キャップ７，８は、キャップ本体７ａ，８ａ内に先端を閉じた円筒形の中キャップ７ｂ，８ｂを一体に形成してなるものであり、それら中キャップ７ｂ，８ｂの開口部内周面に、上記大径，小径キャップ嵌合部２ａ，３ａの先端側外周面が当接してシール性を保つようになっている。
【０００４】
上記軸筒４は、小径軸３を大径軸２よりも長尺にして形成されているとともに、互いの連結端部内周面に形成されたねじ部（図示しない）を介して離合させられるようになっており、これにより、軸筒４内に収容した中綿（図示しない）にインクを補充し又は中綿自体を新たなものに交換できるようにしている。
【０００５】
【発明が解決しようとする課題】
ところで、上記した従来のマーカーペン１は、大径，小径キャップ７，８の中キャップ７ｂ，８ｂと、大径，小径キャップ嵌合部２ａ，３ａとのシール性を高めるために、それらの全周で密着するようになっており、それらの嵌着力が大きくなる蓋然性が高い。
【０００６】
しかも、大径キャップ嵌合部２ａの外径が、小径キャップ嵌合部３ａの外径よりも大きいために、大径キャップ７と大径キャップ嵌合部２ａとの嵌着力が、小径キャップ８と小径キャップ嵌合部３ａの嵌着力よりも大きくなる。
【０００７】
従って、そのような外径の異なる大径，小径キャップ嵌合部２ａ，３ａに嵌合されていた大径，小径キャップ７，８を、例えば捻るようにして引き抜くという動作を行うと、それらの外径の違いに応じた大きさの回転モーメントが軸筒４に対して作用する。
具体的には、大径，小径キャップ嵌合部２ａ，３ａのうちの外径の大きな方、すなわち、小径キャップ嵌合部３ａよりも大径キャップ嵌合部２ａの方が大きな回転モーメントを生じる。
【０００８】
さらに詳しくは、大径キャップ７を取り外すには、一方の手Ｈ１で軸筒４のほぼ中心を把持しながら、他方の手Ｈ２で大径キャップ７を例えば捻りながら引き抜くという動作を行う。
【０００９】
しかし、上記マーカーペン１は、これの軸筒４をなす大径軸２と小径軸３のうち、小径軸３を大径軸２よりも長く形成していたので、一方の手Ｈ１で軸筒４のほぼ中心を把持すると、結果として、小径軸３を把持することになる。
この場合、大径キャップ嵌合部３ａに嵌合している大径キャップ７を捻りながら引き抜くという動作に伴って生じる、より大きな回転モーメントは、小径軸３を介して大径軸２との連結部分に加わる。
【００１０】
すなわち、大径軸２と小径軸３の連結部分に対し正逆方向に加わる回転モーメントによって、上記大径，小径軸２，３をきつく締め込むように作用してねじ部を損傷したり、また、大径，小径軸２，３の連結を緩めるように作用してがたつきを生じてしまうという欠点がある。
【００１１】
そこで本発明は、筆記具本体から、小径キャップよりも大きな回転モーメントを生じさせる大径キャップを捻るようにして引き抜くという動作を行うときにも、２つの軸の連結部分にがたつきを生じさせたり、損傷させることがない筆記具を提供しようとするものである。
【００１２】
【課題を解決するための手段】
前記目的を達成するため、本発明は次の構成を有する。
すなわち、本発明は、一方の大径の軸および他方の小径の軸からなる２つの軸を互いの内端部同士で螺合連結した軸筒であって、該軸筒の両外端部にそれぞれペン芯を配設し、かつそれら大径の軸、小径の軸の端部に互いに外径を大小異ならせた大径、小径キャップ嵌合部を形成した筆記具本体と、それら大径、小径キャップ嵌合部に着脱可能に嵌合する大径、小径キャップとを有している筆記具において、小径の軸の内端部側の外周面にグリップ部材を装着し、大径の軸および小径の軸の螺合連結する部分付近で前記大径の軸外周面と前記グリップ部材外周面とが互いに面一になるように形成し、大径キャップ嵌合部に嵌装されている大径キャップが、大径の軸を持って該大径キャップを捻って外すときに、小径キャップ嵌合部に嵌装されている小径キャップを外すときの回転モーメントよりも大きな回転モーメントが生じるものであり、前記小径キャップ嵌合部と前記大径キャップ嵌合部の両内壁面にインキ吸蔵体を固定するリブを備え、上記２つの軸のうち、大径キャップ嵌合部を形成した軸を、小径キャップ嵌合部を形成した軸よりも長尺に形成したことを特徴とする筆記具である。
【００１３】
上記構成によれば、大径キャップ嵌合部に嵌装されている大径キャップが、大径の軸を持って該大径キャップを捻って外すときに、小径キャップ嵌合部に嵌装されている小径キャップを外すときの回転ーメントよりも大きな回転モーメントが生じるものであるので、大径キャップ嵌合部に嵌合当接している大径キャップを外すときには、一方の手で軸筒の大径軸を把持しながら、他方の手で大径キャップをたとえば捻りながら引き抜くことになる。
【００１４】
この場合、大径キャップ嵌合部に嵌合している大径キャップを捻りながら引き抜くという動作に伴って生じる、より大きな回転モーメントは、２つの軸の連結部分に加わることがなく、従って、それらのねじ部を損傷したり、あるいは緩めるように作用してがたつきを生じさせてしまうことがない。
【００１５】
上記においては、大径キャップ嵌合部を形成した軸を、大径キャップ嵌合部から、これに嵌合されている大径キャップを一方の手で外すとき、他方の手で軸筒を把持すると想定される把持部分を含む長さに設定することが好適である。
【００１６】
また、大径キャップが、キャップ本体内に円筒形の中キャップを形成してなるとともに、その中キャップの内径と大径キャップ嵌合部の外径とを互いに同じテーパにして、大径キャップ嵌合部の外径を、大径キャップ嵌合部を形成した軸の基端から先端に向けて径細となるように形成しており、大径キャップ嵌合部に大径キャップを嵌合したときに、大径キャップ嵌合部の外周面に前記中キャップの内周縁がシール性を保持できる密着状態で当接するようになっている構成にしてもよい。
【００１７】
【発明の実施の形態】
本発明の実施の形態について、図面を参照して説明する。図１は、一実施形態に係る筆記具の側面図、図２は、その断面図である。
【００１８】
一実施形態に係る筆記具としてのマーカーペンＡは、ペン芯９及びペン芯１０を軸筒１１の両端部に配設した筆記具本体１２と、大径，小径キャップ１３，１４とからなるものであり、それらの詳細は次の通りである。
【００１９】
大径キャップ１３は、前後端面を開口した略円筒形のキャップ本体１３ａ内の前半部内に、先端面を閉じた円筒形の中キャップ１３ｂを一体に形成しているものである。
中キャップ１３ｂの内径は、これの基端（開口端）から先端に向けて径細となるように形成されている。
【００２０】
小径キャップ１４は、上記大径キャップ１３よりも一回り小さく形成されており、それは、前後端面を開口した略円筒形のキャップ本体１４ａ内の前半部内に、先端面を閉じた円筒形の中キャップ１４ｂを一体に形成しているものである。
中キャップ１４ｂの内径は、上記の中キャップ１３ｂと同じく、これの基端（開口端）から先端に向けて径細となるように形成されている。
【００２１】
ペン芯９は太書き用のものであり、それは、断面長方形にしたペン先部９ａと、このペン先９ａよりもやや小さい断面長方形にした中綿挿入部９ｂとからなり、例えばアクリル樹脂等の樹脂製合成繊維により一体に収束成形した略角柱形のものである。
【００２２】
ペン芯１０は細書き用のものであり、それは、断面円形のペン先部１０ａと、これよりも小径の断面円形の中綿挿入部１０ｂとからなり、上記ペン芯９と同じく例えばアクリル樹脂等の樹脂製合成繊維により一体に収束成形した略円柱形のである。
【００２３】
軸筒１１は、ほぼ円筒形に形成された大径の軸１５と、中間部から外端部に向けて次第に径細になるほぼ円筒形に形成された小径の軸１６とからなる。
軸１５の外端部には大径キャップ嵌合部１５ａが形成され、また、内端部内周面に、軸１６を螺合連結するためのテーパ形ねじ部１５ｂが螺刻されている。
【００２４】
大径キャップ嵌合部１５ａは、上記ペン芯９を保持しかつ上記大径キャップ１３を嵌合するものであり、その大径キャップ１３の中キャップ１３ｂの内径と同じテーパにして、基端から先端に向けて外径が次第に径細となるように形成されている。
これにより、大径キャップ嵌合部１５ａの外周面と、大径キャップ１３の中キャップ１３ｂの内周面とは、それらの対向面全域でシール性を保持できる密着状態で当接するようになっている。
【００２５】
大径キャップ嵌合部１５ａの内端部側には、キャップ本体１３ａに当接する、その大径キャップ嵌合部１５ａよりも径太にしかつ軸１５の外径よりもやや細いキャップ本体当接部１５ａ′が連設されており、それらキャップ本体当接部１５ａ′とキャップ本体１３ａも、これらの対向面全域で当接するようになっている。
【００２６】
キャップ本体当接部１５ａ′の内周面には、詳細を後述するインク吸蔵体１８を差し込んで保持するための複数のリブ１５ｃ…が所要の角度間隔でかつ内側に向けて突設されている。
【００２７】
軸１６の外端部には小径キャップ嵌合部１６ａが形成され、また、内端部外周面には、上記軸１５と螺合するためのテーパ形ねじ部１６ｂが螺刻されている。
【００２８】
小径キャップ嵌合部１６ａは、上記ペン芯１０を保持しかつ小径キャップ１４を嵌合するものであり、その小径キャップ１４の中キャップ１４ｂの内径と同じテーパにして、基端から先端に向けて外径が次第に径細となるように形成されている。
【００２９】
これにより、小径キャップ嵌合部１６ａの外周面と小径キャップ１４の中キャップ１４ｂの内周面とは、それらの対向面全域でシール性を保持できる密着状態で当接するようになっている。
【００３０】
小径キャップ嵌合部１６ａの内端部側には、これよりも径太にしたキャップ本体当接部１６ａ′が連設されており、そのキャップ本体当接部１６ａ′とキャップ本体１４ａも、対向面全域で密着した状態で当接するようになっている。
【００３１】
小径キャップ嵌合部１６ａの内周面から内端部開口近傍の内周面にかけては、詳細を後述するインク吸蔵体１８を差し込んで保持するための複数のリブ１６ｃ…が所要の角度間隔で内側に向けて突設されている。
【００３２】
また、軸１６の外周面には、互いに所要の間隔を保持して、全周にわたる鍔部１６ｄ，１６ｅが突設されており、それら鍔部１６ｄ，１６ｅ間に例えばエラストマー等からなるグリップ部材１７が装着されている。
【００３３】
上記大径の軸１５と小径の軸１６とは、これらのうち、大径の軸１５を小径の軸１６よりも長尺にして形成している。
具体的には、図３に示すように、大径キャップ嵌合部１５ａに嵌合されている大径キャップ１３を一方の手Ｈ２で外すとき、他方の手Ｈ１で軸筒１１を把持すると想定される把持部分を含む長さとなるように設定している。
【００３４】
換言すると、大径の軸１５の内端面１５ｆと、小径の軸１６の鍔部１６ｅとの当接位置が、軸筒１１の中央部分よりも小径キャップ嵌合部１６ａ側に偏って形成されている。
【００３５】
本実施形態においては、大径の軸１５の大径キャップ嵌合部１５ａとの境界と、内端面１５ｆとの間の長さＬ１、小径の軸１６の小径キャップ嵌合部１６ａとの境界と鍔部１６ｅとの間の長さＬ２が、ほぼＬ１≒２×Ｌ２の関係になっている。
【００３６】
インク吸蔵体１８は、円柱形に形成された中綿１９の外周面に、フィルム様の外装材２０を嵌装してなるものであり、両端部間で同じ外径にして形成されているものであり、これの両端部を、前記リブ１５ｃ…とリブ１６ｃ…とに差し込んで保持されている。
【００３７】
本実施形態においては、リブ１５ｃ…のインク吸蔵体１８に対する保持力を、リブ１６ｃ…の嵌合保持力よりも大きく設定している。それら保持力の差は、例えばそれらリブ１５ｃ…、１６ｃ…の突出量を長短させることにより、あるいは当該リブ１５ｃ…、１６ｃ…の面積を広狭させることにより設定することができる。
【００３８】
上記構成からなるマーカーペンＡの大径キャップ１３を大径キャップ嵌合部１５ａから外す時の作用について、図３をも参照して説明する。
大径キャップ嵌合部１５ａに嵌装されている大径キャップ１３を外すときには、一方の手Ｈ１で軸筒１１のほぼ中心を、すなわち、大径の軸１５を把持しながら、他方の手Ｈ２で大径キャップ１３を例えば捻りながら引き抜く。
【００３９】
すなわち、本実施形態に係るマーカーペンＡは、これの軸筒１１をなす大径の軸１５を小径の軸１６よりも長く形成しているので、一方の手Ｈ１で軸筒１１のほぼ中心を把持すると、結果として、大径の軸１５を把持することになる。
この場合、大径キャップ嵌合部１５ａに嵌装している大径キャップ１３を捻りながら引き抜くという動作に伴って生じる、より大きな回転モーメントは、大径の軸１５と小径の軸１６の連結部分（テーパ形ねじ部１５ｂ，１６ｂの螺合部分）に加わることがない。
【００４０】
従って、軸１５と軸１６の連結部分に対して回転モーメントが加わることがないので、それらのねじ部を損傷したり、あるいは緩めるように作用してがたつきを生じてしまうといういった従来の欠点を解消することができる。
【００４１】
なお、小径キャップ嵌合部１６ａに嵌装されている小径キャップ１４を外すときには、一方の手Ｈ１で軸筒１１のほぼ中心、すなわち、大径の軸１５を把持しながら、他方の手Ｈ２で小径キャップ１４を例えば捻りながらの引き抜きを行うことになるが、小径キャップ嵌合部１６ａに嵌装している小径キャップ１４を捻りながら引き抜くという動作に伴って生じる回転モーメントは、上記大径キャップ１３を外すときに比較して小さいので、大径の軸１５と小径の軸１６の連結部分（テーパ形ねじ部１５ｂ，１６ｂの螺合部分）にがたつきを生じさせたり、損傷させるおそれはない。
【００４２】
なお、本発明は前述した実施形態に限るものではなく、次のような変形実施が可能である。
上記においては、アクリル樹脂等の樹脂製合成繊維により一体に収束成形してなるペン芯を備えたマーカーペンを例として説明したが、例えば、筆ペン等であっても適用できることは勿論である。すなわち、本実施形態にかかる筆記具は、筆ペン等の塗布具を含むものである。
【００４３】
上記においては、大径キャップ嵌合部を形成した軸が、小径キャップ嵌合部を形成した軸よりも太径にしたものを例として説明したが、２つの軸を同じ外径にしたものや、大径キャップ嵌合部を形成した軸が、小径キャップ嵌合部を形成した軸よりも細径になっているもの等であっても適用することができることは勿論である。
【００４４】
【発明の効果】
請求項１〜３記載の発明によれば、大径の軸および小径の軸の螺合連結する部分付近で前記大径の軸外周面と前記グリップ部材外周面とが互いに面一になるように形成し、大径キャップ嵌合部に嵌装されている大径キャップが、大径の軸を持って該大径キャップを捻って外すときに、小径キャップ嵌合部に嵌装されている小径キャップを外すときの回転モーメントよりも大きな回転モーメントが生じるものであり、前記小径キャップ嵌合部と前記大径キャップ嵌合部の両内壁面にインキ吸蔵体を固定するリブを備え、２つの軸のうち、大径キャップ嵌合部を形成した軸を、小径キャップ嵌合部を形成した軸よりも長尺に形成しているので、大径キャップを捻るようにして引き抜くという動作を行うときにも、それら２つの軸の連結部分にがたつきを生じさせたり、当該連結部分の損傷を防止できる。
【００４５】
請求項１〜３記載の発明で得られる上記共通の効果に加え、各請求項記載の発明によれば次の効果を得ることができる。
請求項２記載の発明によれば、大径キャップ嵌合部を形成した軸は、大径キャップ嵌合部から、これに嵌合されている大径キャップを一方の手で外すとき、他方の手で軸筒を把持すると想定される把持部分を含む長さに設定しているので、大径キャップを捻るようにして引き抜くという動作を行うときにも、２つの軸の連結部分にがたつきを生じさせたり、当該連結部分が損傷することをより確実に防止できる。
【００４６】
請求項３記載の発明によれば、大径キャップが、キャップ本体内に円筒形の中キャップを形成してなるとともに、その中キャップの内径と大径キャップ嵌合部の外径とを互いに同じテーパにして、大径キャップ嵌合部の外径を、大径キャップ嵌合部を形成した軸の基端から先端に向けて径細となるように形成しており、大径キャップ嵌合部に大径キャップを嵌合したときに、大径キャップ嵌合部の外周面に前記中キャップの内周縁がシール性を保持できる密着状態で当接するようになっているので、シール性を損なうことなく大径キャップの着脱を容易に行うことができる。
【図面の簡単な説明】
【図１】本発明筆記具の一実施形態を示す側面図である。
【図２】その断面図である。
【図３】本発明筆記具の一実施形態の作用を説明するための断面図である。
【図４】従来の筆記具を示す部分断面図である。
【符号の説明】
９，１０        ペン芯
１１            軸筒
１３            大径キャップ
１３ａ          キャップ本体
１３ｂ          中キャップ
１４            小径キャップ
１５ａ          大径キャップ嵌合部
１５            大径キャップ嵌合部を形成した軸
１６ａ          小径キャップ嵌合部
１６            小径キャップ嵌合部を形成した軸
Ａ              筆記具の一例であるマーカーペン
Ｈ１，Ｈ２      手
【図１】
0003874648.tif 000002
【図２】
0003874648.tif 000003
【図３】
0003874648.tif 000004
【図４】
0003874648.tif 000005